(57)【要約】【構成】本発明は、機台の移動を妨害する妨害物を除去する装置に関する。本発明装置は、矩形一掃部の少なくとも一部に固定した一掃部ハウジングを有する。一掃部の剛毛部分は、一掃部ハウジングから下向きに、かつ離間するように延在し、複数のブラケットを有する。一掃部ハウジングは接着ストリップなどによって手術台に取り付けられる内側ブラケット、および一掃部ハウジングおよび一掃部を固定位置に相互に固定するつまみネジ、あるいはその他のロッキング機構を有する外側ブラケットからなる。オペレーターが装置を装着すると、妨害物が手術台の基部のキャスターから一つかそれ以上の剛毛によって一掃される。【選択図】図１
2020509912.tif 000002
【特許請求の範囲】
【請求項１】
少なくとも一本の剛毛体が突出する一掃部、および
この一掃部の少なくとも一部に取り付けられ、これを取り囲む一掃部ハウジングを有することを特徴とする障害物一掃装置。
【請求項２】
前記の少なくとも１本の剛毛体が、前記一掃部に着脱自在に取り付けられた剛毛取り付け部から突出する請求項１に記載の障害物一掃装置。
【請求項３】
前記一掃部が、少なくとも一つの一掃用トラックを有し、この少なくとも一つの一掃用トラックが前記一掃部ハウジングに滑り嵌合する請求項１に記載の障害物一掃装置。
【請求項４】
前記一掃部が矩形角柱体を有し、この角柱体がさらに前記一掃部ハウジングに滑り嵌合する少なくとも一本の一掃用凹状トラックおよび少なくとも一つの一掃用凸状トラックを有する請求項１に記載の障害物一掃装置。
【請求項５】
前記一掃部ハウジングが、前記一掃部に滑り嵌合する少なくとも一つのハウジング凹状トラックおよび少なくとも一つのハウジング凸状トラックを有する請求項１に記載の障害物一掃装置。
【請求項６】
さらに、前記一掃部が少なくとも一つの一掃用凹状トラックおよび少なくとも一つの一掃用凸状トラックを有し、
前記の少なくとも一つの一掃用凹状トラックが前記ハウジング凸状トラックに滑り嵌合し、そして
前記の少なくとも一つの一掃用凸状トラックが前記ハウジング凹状トラックに滑り嵌合する請求項５に記載の障害物一掃装置。
【請求項７】
前記一掃部ハウジングが、第１ブラケットおよび第２ブラケットを有する請求項１に記載の障害物一掃装置。
【請求項８】
前記一掃部ハウジングを取り付けブラケットに接続する請求項１に記載の障害物一掃装置。
【請求項９】
接着ストリップを前記一掃部ハウジングの少なくとも一部に取り付ける請求項１に記載の障害物一掃装置。
【請求項１０】
さらに、前記一掃部ハウジングに接続し、この一掃部ハウジングに対して前記一掃部を固定するロッキング機構を有する請求項１に記載の障害物一掃装置。
【請求項１１】
前記ロッキング機構がつまみネジである請求項１０に記載の障害物一掃装置。
【請求項１２】
一掃部を有する障害物一掃装置であって、
前記一掃部が剛毛取り付け部およびトラック体を有し、
この剛毛取り付け部およびトラック体を一つかそれ以上の剛毛取り付けネジによって接続し、
前記剛毛取り付け部が剛毛ヘッド、および前記剛毛取り付け部から延在する複数の剛毛を有し、
前記トラック体が少なくとも２つの側部を有し、これら少なくとも２つの側部それぞれが少なくとも一つの一掃用凹状トラックおよび少なくとも一つの一掃用凸状トラックを有し、
一掃部ハウジングを有し、
この一掃部ハウジングが内側ブラケットおよび外側ブラケットを有し、
これら内側ブラケットおよび外側ブラケットを一つかそれ以上のハウジングネジによって接続し、
前記内側ブラケットが一つかそれ以上のパイロット開口を有し、
前記一掃部ハウジングが少なくとも一つの内向きハウジング凸状トラックおよび少なくとも一つの内向きハウジング凹状トラックを有し、
前記一掃部が前記一掃部ハウジングの内部に滑り接続し、そして
前記一掃部ハウジングがさらに外向きに突出するつまみネジスタンドオフ、およびこのつまみネジスタンドオフに螺合接続するつまみネジを有することを特徴とする障害物一掃装置。
【発明の詳細な説明】
【関連出願】
【０００１】
本出願は、２０１７年３月８日に出願された米国仮特許出願第６２／４６８，７５５号の優先権を主張する出願である。
なお、連邦政府資金による研究または開発の適用はない。
【背景技術】
【０００２】
１．技術分野
本発明は、キャスターホイールを使用してテーブル（台）やその他の機台を移動させることに関する。より具体的には、本発明は機台の移動部に取り付けられ、床面などの物体がキャスターホイールの動作を妨害しないようにする一掃装置（ｓｗｅｅｐｉｎｇ  ｄｅｖｉｃｅ）に関する。
【０００３】
２．従来技術の説明
手術台やその他の大型機台には特定の課題がある。即ち、効率のよい移動および調節を課題とする。これらの課題は、部分的にはキャスターホイールを使用することによって解決できるが、残念ながら、キャスターホイールは課題の一部しか解決できず、新たな問題を引き出す。キャスターホイールを設けた後は、手術台やその他の機台の重量がキャスターホイールの走行時に、床面などにあるケーブル、コードやその他の機材を傷つける恐れがある。さらに、ケーブル、コードやその他の機材は、キャスターホイールに簡単に絡みつき、走路内にある機台を突然停止させることがある。ケーブル、コードやその他の機材は最小に見積もっても施術者の手術台やその他の大型機台を移動させる能力を減殺するものである。手術環境内において、これらの問題は破滅的な結果を招く。
【発明の概要】
【０００４】
本発明の目的は、手術台の回転、推進または引っ張り時にこの手術台の移動を妨害しないようにすることである。
【０００５】
本発明のこれらの実施態様や他の実施態様などは、添付図面及び特許請求の範囲を含む明細書を検討することによって当業者には明らかになるはずである。
【図面の簡単な説明】
【０００６】
【図１】本発明の一実施態様を示す斜視図である。
【図２】図１に示す実施態様の正面平面図である。
【図３】図１に示す実施態様の底面平面図である。
【図４】図１の実施態様の、手術台に取り付けられるいくつかの構成部（ユニット）を示す図である。
【図５】図１に示す実施態様の展開図である。
【図６】本発明の別な実施態様を示す正面平面図である。
【図７】図６に示す実施態様の底面平面図である。
【図８】図６に示す実施態様の別な正面平面図である。
【図９Ａ】図６の剛毛取り付け部（ｂｒｉｓｔｌｅ  ａｔｔａｃｈｍｅｎｔ）の別な実施態様を示す正面平面図である。
【図９Ｂ】図９Ａの剛毛取り付け部を示す底面平面図である。
【図１０Ａ】図６の剛毛取り付け部の別な実施態様を示す正面平面図である。
【図１０Ｂ】図１０Ａの剛毛取り付け部を示す底面平面図である。
【図１１Ａ】図６の剛毛取り付け部の別な実施態様を示す正面平面図である。
【図１１Ｂ】図１１Ａの剛毛取り付け部を示す底面平面図である。
【発明を実施するための形態】
【０００７】
図１〜図３に本発明の一実施態様を示す。この実施態様は、部分的には複数の剛毛５４を有する一掃部５２および一掃部ハウジング５６から構成した一掃装置５０を使用した点にある。
【０００８】
一掃部ハウジング５６は、内側ブラケット５８および外側ブラケット６０からなる。内側ブラケット５８および外側ブラケット６０については、一つかそれ以上のハウジングネジ６２によって相互に固着する。一掃部５２の一部は一掃部ハウジング５６内に封入する。
【０００９】
内側ブラケット５８および外側ブラケット６０は、さらに一つかそれ以上の細長いパイロット開口（ｅｌｏｎｇａｔｅｄ  ｐｉｌｏｔ  ｏｐｅｎｉｎｇｓ）６４を有する。本実施例では、内側ブラケット５８の４つの細長いパイロット開口６４それぞれは、外側ブラケット６０の４つの細長いパイロット開口６４の一つに対応する。
【００１０】
この一掃装置５０は取り付けプレート６６も有する。取り付けプレート６６は内側ブラケット５８に対して設ける。この取り付けプレート６６は４つの取り付けプレートスタンドオフ（ｍｏｕｎｔｉｎｇ  ｐｌａｔｅ  ｓｔａｎｄｏｆｆｓ）６８からなり、これらスタンドオフは取り付けプレート６６から同じ側に外向きに延在する。内側ブラケット５８および外側ブラケット６０については、さらに相互に固着し、取り付けネジ７０によって取り付けプレートに固着する。細長いパイロット開口６４を使用するため、取り付けプレート６６を一掃部ハウジング５６に対して調節できる。
【００１１】
取り付けプレート６６の内側ブラケット６０に対向する側には両面接着ストリップ７２を設ける。接着ストリップ７２は取り付けプレート６６の一方の側に接着し、かつ対向する側で手術台に接着する。
【００１２】
図２および図３に２列の剛毛５４を示す。第１列の７本の剛毛５４は、第２列の８本の剛毛５４よりも０．１２５インチだけ短い。以下に説明するように、また添付図面に示すように、本発明の剛毛の厚さ、長さ、剛度、剛性、形状、構成、材料などについては上記特徴の一つかそれ以上を任意に組み合わせることができる。
【００１３】
図４に、手術台に取り付けた一つかそれ以上の一掃装置５０を示す。手術室内における手術台の移動（回転または並進）時、一掃装置５０の剛毛５４があるため、手術環境内にあるワイヤ、ケーブルやその他の障害物が手術台の移動を阻害することはない。
【００１４】
図５は、図１〜図４に示した一掃装置５０の展開図である。図５には、４つの取り付けワッシャー７４を使用した場合を示す。各ワッシャーは、取り付けネジが細長いパイロット開口６４を介して対応する取り付けスタンドオフ６８内に進入している間、対応する取り付けネジ７０からの荷重を拡散する。
【００１５】
図５には内部スタンドオフ７６も示す。これらスタンドオフは内側ブラケット５８の内部にあり、ハウジングネジ６２が外側ブラケット６０を通過している間、各内部スタンドオフ７６がこれらネジを受け取る。
【００１６】
図５に、剛毛５４が位置する清掃部５２の端部に対向する一掃部５２の端部に位置する一掃ヘッド７８を示す。組み立てた状態では、一掃ヘッド７８は一掃部ハウジング５６内に位置する。バネヘッド７８内のバネオリフィス８２内には一つかそれ以上のバネ８０を設ける。バネ８０の上部側は、一掃部ハウジング５６の上部内側に当接する。これらバネ８０によって、一掃装置５０の使用時に剛毛５４が床やその他の床面への接触状態を維持する。
【００１７】
さらに、一掃ヘッド７８は複数の一掃ヘッド凸状トラック８４および複数の一掃ヘッド凹状トラック８６を有する。一掃部ハウジング５６の内部は、複数のハウジング凸状トラック８８および複数のハウジング凹状トラック９０を有する（ただし、外側ブラケット６０に関しては図示していない）。本実施態様の場合、一掃ヘッド凸状トラック８４がハウジング凹状トラック９０に対応し、一掃ヘッド凹状トラック８６がハウジング凸状トラック８８に対応する（まとめて“トラック整合（Ｔｒａｃｋ  Ａｌｉｇｎｍｅｎｔ）”と呼ぶ）。このトラック整合のために、一掃部ハウジング５６内における一掃ヘッド７８の線形移動の効率が高くなる。
【００１８】
図６、図７および図８に、本発明の別な実施態様を示す。この実施態様は、部分的に一掃部１０２、剛毛取り付け部１０４および一掃部ハウジング１０５からなる一掃装置１００を有することを特徴とする。
【００１９】
剛毛取り付け部１０４は、剛毛ヘッド１０６および複数の剛毛１０８を有する。上記で説明し、かつ図１、図２、図３、図４および図５に示すように、一つかそれ以上の一掃装置１００を手術台に取り付ける。手術室内における手術台の移動（回転または並進）時、一掃装置１００の剛毛１０８があるため、手術環境内にあるワイヤ、ケーブルやその他の障害物が手術台の移動を阻害することはない。
【００２０】
一掃部１０２は、複数の一掃ヘッド凸状トラック１１０および複数の一掃ヘッド凹状トラック１１２を有する。一掃部ハウジング１０５の内部は、複数のハウジング凸状トラック（図示省略）および複数のハウジング凹状トラック（図示省略）を有する。本実施態様の場合、一掃ヘッド凸状トラック１１０がハウジング凹状トラックに対応し、一掃凹状トラック１１２がハウジング凸状トラックに対応する（まとめて“トラック整合”と呼ぶ）。このトラック整合のために、一掃部ハウジング１０５内における一掃部１０２の線形移動の効率が高くなる。
【００２１】
一掃部ハウジング１０５は、内側ブラケット１１６および外側ブラケット１１８からなる。内側ブラケット１１６および外側ブラケット１１８については、一つかそれ以上のハウジングネジ１２０によって相互に固着する。一掃部１０２の一部は一掃部ハウジング１０５によって取り囲む。
【００２２】
さらに、内側ブラケット１１６および外側ブラケット１１８は一つかそれ以上のパイロット開口１２２を有する。図示は省略するが、パイロット開口１２２のそれぞれが内側ブラケットを手術台や取り付けプレートなどの他の取り付け界面に取り付ける取り付けネジやその他の手段を受け取ることができる。
【００２３】
（取り付けプレートなどの）上記取り付け手段に加えて、あるいはこの取り付け手段の代わりに、一掃装置１００を接着ストリップ１２４（図６〜図８には示していない）によって手術台に取り付けてもよい。
【００２４】
図７に、一掃部ハウジング１０５から外向きに突出するつまみネジスタンドオフ１２６を有する一掃部ハウジング１０５を示す。つまみネジ１２８はつまみネジスタンドオフ１２６に螺合接続する。つまみネジ１２８を締め付けて、一掃部１０２を一掃部ハウジング１０５内に固定する。このつまみネジ１２８を緩めると、一掃部１０２を一掃部ハウジング１０５に対して移動させることができる。
【００２５】
図７には、剛毛取り付け部１０４を一掃部１０２に接続する複数の剛毛取り付けネジ１３０も示す。
【００２６】
さらに、図７に外側ブラケット１１８の両側（対向する側）に存在する２つの臍（ほぞ）（参照符号なし）を示す。これら２つの臍は、内側ブラケット１１６の両側（対向する側）に存在する対応する臍穴（参照符号なし）内に延在する。この臍／臍穴構成によって、内側ブラケット１１６と外側ブラケット１１８の安定性が強化され、かつブラケット相互の固着性が強化される。
【００２７】
図８に、一掃部１０２を一掃部ハウジング１０５内の異なる位置に固定した図６の実施態様を示す。
【００２８】
図９Ａおよび図９Ｂに、図６の剛毛取り付け部の別な実施態様を示す。図６に示すような２１本の比較的な均質なゴム製剛毛からなる構成ではなく、図９Ａおよび図９Ｂの剛毛取り付け部２００は剛毛ヘッド２０２からなり、この剛毛ヘッド２０２にゴム製ブレード２０４および一列の剛毛２０６を取り付ける。複数の剛毛取り付けネジ２０８によって剛毛取り付け部２００を一掃部１０２に接続する。
【００２９】
図１０Ａおよび図１０Ｂに、図６の剛毛取り付け部の別な実施態様を示す。図６に示すような２１本の比較的な均質なゴム製剛毛からなる構成ではなく、図１０Ａおよび図１０Ｂの剛毛取り付け部３００は剛毛ヘッド３０２からなり、この剛毛ヘッド３０２に複数の薄く、比較的剛性のある剛毛３０４を取り付ける。複数の剛毛取り付けネジ３０６によって剛毛取り付け部３００を一掃部１０２に接続する。
【００３０】
図１１Ａおよび図１１Ｂに、図６の剛毛取り付け部の別な実施態様を示す。図６に示すような２１本の比較的な均質なゴム製剛毛からなる構成ではなく、図１１Ａおよび図１１Ｂの剛毛取り付け部４００は剛毛ヘッド４０２からなり、この剛毛ヘッド４０２に複数の雄豚由来の剛毛４０４を取り付ける。複数の剛毛取り付けネジ４０６によって剛毛取り付け部４００を一掃部１０２に接続する。あるいは、この実施態様で使用する種類の剛毛４０４を逆さまに再配置してもよい。このように構成すると、床に隣接する剛毛部分が薄くなり、そして剛毛ヘッドに取り付けられる剛毛部分が厚くなる。なお、剛毛の薄い部分が床、入り口などに対する変化により柔軟に対処し、より厚くかつより重いコードに装置が当たった時にはより厚い部分が押し込み強さに対処する。
【００３１】
以上、本発明を好ましい例示的な実施態様を参照して説明してきたが、当業者ならば、本発明を実施するさいにこのような装置、システムおよび方法に改変を加えることが可能なことを認識できるはずである。本発明の他の態様、特徴および作用効果については、特許請求の範囲を含む本開示および添付図面を検討することによって理解できるはずである。
【００３２】
上記のように、本明細書に開示した剛毛は例示であり、限定を意図するものではない。例えば、本発明の代替的な実施態様では、剛毛は量、特徴的な形状、寸法、剛性、構成、大きさ、種類などを各種組み合わせて使用することができる。本明細書に剛毛として記載した異なる物体については、（ゴム製ブレード、ゴム製剛毛、薄く剛性のある剛毛、雄豚由来の剛毛などの）剛毛体として特徴づけることが可能である。
【００３３】
同様に、一掃部要素についても各種の物理的寸法（２．５インチ×０．５インチ×６．０インチなど）で、各種の材料を使用し、かつハウジングに対する各種の移動方式（直線移動など）で構成することができる。例えば、広い意味では、一掃部は角柱体または円筒体と単純に考えることができる。これら角柱体または円筒体は、本明細書で説明した他の要素のうちの一つかそれ以上に結合した場合、キャスターホイール、手術台やその他の機台から障害物を除去することによって従来技術の項で説明した問題点を解消できるものである。
【００３４】
さらに、以上の実施態様の一掃部および一掃ヘッドは、一掃部ハウジングに対して一掃部／一掃ヘッドが滑動するトラックを有することを特徴としていた。他の実施態様の場合、これらトラックを備えていなくてもよく、あるいは一掃部ハウジングに対する一掃部の移動を補助する他の手段を備えていてもよい。
【００３５】
同様に、剛毛取り付け部についても各種の物理的寸法（２．５インチ×０．５インチ×０．５インチの剛毛ヘッドなど）で、各種の材料を使用し、かつ一掃部に対する各種の固定方式（剛毛取り付けネジ、スナップ係合、摩擦係合など）で構成することができる。
【００３６】
同様に、一掃部ハウジングについても各種の物理的寸法（例えば、一掃部を取り囲むためには高さは１．７５インチ、それを除けば一掃部よりもわずかに大きく構成する）、各種の形状、各種の開閉方式、一掃部に対する各種の移動方式、各種のロッキング機構（つまみネジなど）、各種のハードウェア（取り付けネジおよびハウジングネジ）を使用して構成することができる。例えば、広い意味では、一掃部ハウジングは一掃部の少なくとも一部を取り囲む物体であればよく、換言すれば一掃部全体を取り囲まないこともあり得る。なお、多くの実施態様はこの意味においても想定され得る。取り付け手段を結合した場合、一掃部ハウジングは装置を作動するためには、手術台やその他の機台に取り付ける必要がある。
【００３７】
同様に、装置を手術台やその他の機台に取り付けるさいこれを補助する接着ストリップ、取り付けプレートなどについても、上記の形態で使用することができる。あるいは、これら部材については、同じ結果を実現できるように交換してもよく、または再設計してもよい（例えば接着剤ではなくＶｅｌｃｒｏ（登録商標）を使用することができる）。一部の代替的な実施態様では、接着ストリップを一掃部ハウジングに直接設けてもよい。
【００３８】
各種のスタンドオフやワッシャーなどのハードウェア等の他の構成要素についても、異なる構成または設計でもよく、あるいは全く使用しなくてもよい。これら構成要素は例示であり、限定を意図するものではない。
【００３９】
特に断らない限り、本明細書および特許請求の範囲で使用する分子量、反応条件などの成分量、特性を示す全ての数値については、すべての場合において“約”が付くものと理解すべきである。従って、特に断らない限り、明細書および特許請求の範囲に記載した数値パラメーターは近似値であり、本発明によって得るべき目的の特性に応じて変更できるものである。最低に見積もっても、そして均等論の適用を請求の範囲に限定する意図ではなく、各数値パラメーターは少なくとも記載された有効数字ないし桁数によって、そして通常の端数切り捨てによって解釈すべきである。
【００４０】
最後に、本明細書で言及した論文、書籍、情報、専門誌、雑誌、資料、会報、新聞、オンライン資料、特許出願公報、特許公報、定期刊行物、刊行物、テキスト類、および／または他の形式の刊行物などは、言及された個々のものがあたかも特定かつ個々に記載されているかのように全体を援用するものである。なお、利用された情報については、あたかもこの情報が本明細書で反復されているかのように本出願時の明細書と同じものであると理解すべきであり、また本出願時の開示部分として処理すべきである。
【符号の説明】
【００４１】
５０、１００：一掃装置
５２、１０２：一掃部
５４、１０８、２０６、３０４、４０４：剛毛
５６、１０５：一掃部ハウジング、清掃ハウジング
５８、１１６：内側ブラケット
６０、１１８：外側ブラケット
６２、１２０：ハウジングネジ
６４、１２２：パイロット開口
６６：取り付けプレート
６８：取り付けプレートスタンドオフ
７０：取り付けネジ
７２、１２４：接着ストリップ
７６：内部スタンドオフ
７８：一掃ヘッド、バネヘッド
８０：バネ
８２：バネオリフィス
８４、１１０：一掃ヘッド凸状トラック
８６、１１２：一掃ヘッド凹状トラック
８８：ハウジング凸状トラック
９０：ハウジング凹状トラック
１０４、２００、３００、４００：剛毛取り付け部
１０６、２０２、３０２、４０２：剛毛ヘッド
１２６：つまみネジスタンドオフ
１２８：つまみネジ
１３０、２０８、３０６、４０６：剛毛取り付けネジ
２０４：ゴム製ブレード
【図１】
2020509912.tif 000003
【図２】
2020509912.tif 000004
【図３】
2020509912.tif 000005
【図４】
2020509912.tif 000006
【図５】
2020509912.tif 000007
【図６】
2020509912.tif 000008
【図７】
2020509912.tif 000009
【図８】
2020509912.tif 000010
【図９Ａ】
2020509912.tif 000011
【図９Ｂ】
2020509912.tif 000012
【図１０Ａ】
2020509912.tif 000013
【図１０Ｂ】
2020509912.tif 000014
【図１１Ａ】
2020509912.tif 000015
【図１１Ｂ】
2020509912.tif 000016
【国際調査報告】
2020509912.tif 000017